(57)【要約】【課題】  バックアップ電源の電圧がバックアップに必要な電圧以下になった場合でも対処することができる携帯機器の電源制御方法及び携帯機器の電源制御回路を提供する。【解決手段】  バックアップ電源がバックアップに必要な電圧より低くなると、遅延情報及びＯｎ／ＯＦＦ情報を初期化することにより、ハードウェアで設定した初期状態によりメイン電源が立ち上がるので、バックアップ電源の電圧がバックアップに必要な電圧以下になった場合でも対処することができる。【選択図】  図１
2006246689.tif 000002
【特許請求の範囲】
【請求項１】
Ｏｎ／ＯＦＦの順序、遅延情報及び時計情報に基づいて携帯機器の各回路へのメイン電源からの電圧をＯｎ／ＯＦＦし、バックアップ電源で時計機能を保持する携帯機器の電源制御方法において、
前記バックアップ電源がバックアップに必要な電圧より低くなると、前記遅延情報及び前記Ｏｎ／ＯＦＦ情報を初期化することを特徴とする携帯機器の電源制御方法。
【請求項２】
Ｏｎ／ＯＦＦの順序を、遅延情報及び時計情報に基づいて携帯機器の各回路へのメイン電源からの電圧をＯｎ／ＯＦＦし、バックアップ電源で時計機能を保持する携帯機器の電源制御方法において、
バックアップロジックにて前記メイン電源の立ち上げ時のシーケンスをプログラマブルに行うと共に、
前記バックアップ電源がバックアップに必要な電圧より低くなると、前記遅延情報及び前記Ｏｎ／ＯＦＦ情報を初期化することを特徴とする携帯機器の電源制御方法。
【請求項３】
Ｏｎ／ＯＦＦの順序を、遅延情報及び時計情報に基づいて携帯機器の各回路へのメイン電源からの電圧をＯｎ／ＯＦＦし、バックアップ電源で時計機能を保持する携帯機器の電源制御方法において、
前記メイン電源の立ち上げ時にＯｎ／ＯＦＦ情報をプログラマブルに設定すると共に、
前記バックアップ電源がバックアップに必要な電圧より低くなると、前記遅延情報及び前記Ｏｎ／ＯＦＦ情報を初期化することを特徴とする携帯機器の電源制御方法。
【請求項４】
Ｏｎ／ＯＦＦの順序情報を格納する順序情報格納手段と、
遅延情報を格納する遅延情報格納手段と、
時計情報を提供する時計手段と、
前記各順序情報、前記遅延情報、及び前記時計情報に基づいて携帯機器の各回路へのメイン電源からの電圧をＯｎ／ＯＦＦし、バックアップ電源で時計機能を保持する携帯機器の電源制御回路において、
前記バックアップ電源の電圧を検出する検出手段と、
前記検出手段で検出される電圧がバックアップに必要な電圧より低くなると、前記遅延情報及び前記Ｏｎ／ＯＦＦ情報を初期化する初期化手段とを備えたことを特徴とする携帯機器の電源制御回路。
【請求項５】
Ｏｎ／ＯＦＦの順序情報を格納する順序情報格納手段と、
遅延情報を格納する遅延情報格納手段と、
時計情報を提供する時計手段と、
前記各順序情報、前記遅延情報、及び前記時計情報に基づいて携帯機器の各回路へのメイン電源からの電圧をＯｎ／ＯＦＦし、バックアップ電源で時計機能を保持する携帯機器の電源制御回路において、
前記メイン電源の立ち上げ時のシーケンスをプログラマブルに行うバックアップロジックと、
前記バックアップ電源の電圧を検出する検出手段と、
前記検出手段で検出される電圧がバックアップに必要な電圧より低くなると、前記遅延情報及び前記Ｏｎ／ＯＦＦ情報を初期化する初期化手段とを備えたことを特徴とする携帯機器の電源制御回路。
【請求項６】
Ｏｎ／ＯＦＦの順序情報を格納する順序情報格納手段と、
遅延情報を格納する遅延情報格納手段と、
時計情報を提供する時計手段と、
前記各順序情報、前記遅延情報、及び前記時計情報に基づいて携帯機器の各回路へのメイン電源からの電圧をＯｎ／ＯＦＦし、バックアップ電源で時計機能を保持する携帯機器の電源制御回路において、
前記メイン電源の立ち上げ時にＯｎ／ＯＦＦ情報をプログラマブルに設定する設定手段と、
前記バックアップ電源の電圧を検出する検出手段と、
前記検出手段で検出される電圧がバックアップに必要な電圧より低くなると、前記遅延情報及び前記Ｏｎ／ＯＦＦ情報を初期化する初期化手段とを備えたことを特徴とする携帯機器の電源制御回路。
【請求項７】
前記遅延手段は、少なくとも１つのバッファ回路と、該バッファ回路の出力側に接続された微分回路とを備えたことを特徴とする請求項４から６のいずれか１項記載の電源制御回路。
【請求項８】
前記遅延手段は、水晶発振回路と、該水晶発振回路の出力側に接続された少なくとも１つのフリップフロップ回路とを備えたことを特徴とする請求項４から６のいずれか１項記載の電源制御回路。
【発明の詳細な説明】
【技術分野】
【０００１】
本発明は、携帯機器の電源制御方法及び携帯機器の電源制御回路に関する。
【背景技術】
【０００２】
今日、携帯機器において、高性能化及び多機能化が進んでいる。このため、その分だけ機能デバイスが必要となり、それに対応する電源制御が必要となる。
【０００３】
現在の携帯機器における電源制御は、電源投入順序（Ｏｎ／ＯＦＦ順序）などの電源に関する制約がある場合は、そのハードウェア自体を変更しなければならず、装置開発において、納期的及びコスト的なデメリットとなっている。
【０００４】
また、このような場合、電源制御側で制約がかかってしまうと接続されるデバイスの選択が限られてしまう。
【０００５】
さらに、複数のデバイスを同時にオンしたりすることで突入電流が流れ、電圧降下によるリセットで電源が立ち上がるまでの時間がかかるなどの問題がある。また、機能デバイスによって電源投入順序などの電源に関する制約がある場合は、そのハードウェア自体を変更しなければならず、装置を開発する上で、納期的、コスト的に大きな負担になってしまう。
【０００６】
このため、プログラマブルに電源投入シーケンスを設定ができるようにすることにより、電源機能デバイスの選択の自由度と上記のデメリットを解決することが提案されている（例えば、特許文献１参照。）。
【特許文献１】特開平０４−３０３２４２号公報
【発明の開示】
【発明が解決しようとする課題】
【０００７】
しかしながら、上述した従来技術では、バックアップ電源の電圧がバックアップに必要な電圧以下になった場合については考慮されていない。
そこで、本発明の目的は、バックアップ電源の電圧がバックアップに必要な電圧以下になった場合でも対処することができる携帯機器の電源制御方法及び携帯機器の電源制御回路を提供することにある。
【課題を解決するための手段】
【０００８】
上記課題を解決するため、請求項１記載の発明は、Ｏｎ／ＯＦＦの順序、遅延情報及び時計情報に基づいて携帯機器の各回路へのメイン電源からの電圧をＯｎ／ＯＦＦし、バックアップ電源で時計機能を保持する携帯機器の電源制御方法において、前記バックアップ電源がバックアップに必要な電圧より低くなると、前記遅延情報及び前記Ｏｎ／ＯＦＦ情報を初期化することを特徴とする。
【０００９】
請求項１記載の発明によれば、バックアップ電源がバックアップに必要な電圧より低くなると、遅延情報及びＯｎ／ＯＦＦ情報を初期化することにより、ハードウェアで設定した初期状態によりメイン電源が立ち上がるので、バックアップ電源の電圧がバックアップに必要な電圧以下になった場合でも対処することができる。
【００１０】
請求項２記載の発明は、Ｏｎ／ＯＦＦの順序を、遅延情報及び時計情報に基づいて携帯機器の各回路へのメイン電源からの電圧をＯｎ／ＯＦＦし、バックアップ電源で時計機能を保持する携帯機器の電源制御方法において、バックアップロジックにて前記メイン電源の立ち上げ時のシーケンスをプログラマブルに行うと共に、前記バックアップ電源がバックアップに必要な電圧より低くなると、前記遅延情報及び前記Ｏｎ／ＯＦＦ情報を初期化することを特徴とする。
【００１１】
請求項２記載の発明によれば、バックアップ電源がバックアップに必要な電圧より低くなると、遅延情報及びＯｎ／ＯＦＦ情報を初期化することにより、ハードウェアで設定した初期状態によりメイン電源が立ち上がるので、バックアップ電源の電圧がバックアップに必要な電圧以下になった場合でも対処することができる。また、バックアップロジックにてメイン電源の立ち上げ時のシーケンスをプログラマブルに行うことにより、携帯機器の機能に応じたきめ細かい電源制御設定を行うことができる。
【００１２】
請求項３記載の発明は、Ｏｎ／ＯＦＦの順序を、遅延情報及び時計情報に基づいて携帯機器の各回路へのメイン電源からの電圧をＯｎ／ＯＦＦし、バックアップ電源で時計機能を保持する携帯機器の電源制御方法において、前記メイン電源の立ち上げ時にＯｎ／ＯＦＦ情報をプログラマブルに設定すると共に、前記バックアップ電源がバックアップに必要な電圧より低くなると、前記遅延情報及び前記Ｏｎ／ＯＦＦ情報を初期化することを特徴とする。
【００１３】
請求項４記載の発明は、Ｏｎ／ＯＦＦの順序情報を格納する順序情報格納手段と、遅延情報を格納する遅延情報格納手段と、時計情報を提供する時計手段と、前記各順序情報、前記遅延情報、及び前記時計情報に基づいて携帯機器の各回路へのメイン電源からの電圧をＯｎ／ＯＦＦし、バックアップ電源で時計機能を保持する携帯機器の電源制御回路において、前記バックアップ電源の電圧を検出する検出手段と、前記検出手段で検出される電圧がバックアップに必要な電圧より低くなると、前記遅延情報及び前記Ｏｎ／ＯＦＦ情報を初期化する初期化手段とを備えたことを特徴とする。
【００１４】
請求項４記載の発明によれば、バックアップ電源がバックアップに必要な電圧より低くなると、遅延情報及びＯｎ／ＯＦＦ情報を初期化することにより、ハードウェアで設定した初期状態によりメイン電源が立ち上がるので、バックアップ電源の電圧がバックアップに必要な電圧以下になった場合でも対処することができる。
【００１５】
請求項５記載の発明は、Ｏｎ／ＯＦＦの順序情報を格納する順序情報格納手段と、遅延情報を格納する遅延情報格納手段と、時計情報を提供する時計手段と、前記各順序情報、前記遅延情報、及び前記時計情報に基づいて携帯機器の各回路へのメイン電源からの電圧をＯｎ／ＯＦＦし、バックアップ電源で時計機能を保持する携帯機器の電源制御回路において、前記メイン電源の立ち上げ時のシーケンスをプログラマブルに行うバックアップロジックと、前記バックアップ電源の電圧を検出する検出手段と、前記検出手段で検出される電圧がバックアップに必要な電圧より低くなると、前記遅延情報及び前記Ｏｎ／ＯＦＦ情報を初期化する初期化手段とを備えたことを特徴とする。
【００１６】
請求項５記載の発明によれば、バックアップ電源がバックアップに必要な電圧より低くなると、遅延情報及びＯｎ／ＯＦＦ情報を初期化することにより、ハードウェアで設定した初期状態によりメイン電源が立ち上がるので、バックアップ電源の電圧がバックアップに必要な電圧以下になった場合でも対処することができる。
【００１７】
請求項６記載の発明は、Ｏｎ／ＯＦＦの順序情報を格納する順序情報格納手段と、遅延情報を格納する遅延情報格納手段と、時計情報を提供する時計手段と、前記各順序情報、前記遅延情報、及び前記時計情報に基づいて携帯機器の各回路へのメイン電源からの電圧をＯｎ／ＯＦＦし、バックアップ電源で時計機能を保持する携帯機器の電源制御回路において、前記メイン電源の立ち上げ時にＯｎ／ＯＦＦ情報をプログラマブルに設定する設定手段と、前記バックアップ電源の電圧を検出する検出手段と、前記検出手段で検出される電圧がバックアップに必要な電圧より低くなると、前記遅延情報及び前記Ｏｎ／ＯＦＦ情報を初期化する初期化手段とを備えたことを特徴とする。
【００１８】
請求項６記載の発明によれば、バックアップ電源がバックアップに必要な電圧より低くなると、遅延情報及びＯｎ／ＯＦＦ情報を初期化することにより、ハードウェアで設定した初期状態によりメイン電源が立ち上がるので、バックアップ電源の電圧がバックアップに必要な電圧以下になった場合でも対処することができる。
【００１９】
請求項７記載の発明は、請求項４から６のいずれか１項記載の発明において、前記遅延手段は、少なくとも１つのバッファ回路と、該バッファ回路の出力側に接続された微分回路とを備えたことを特徴とする。
【００２０】
請求項７記載の発明によれば、遅延手段をアナログ的に構成することができる。
【００２１】
請求項８記載の発明は、請求項４から６のいずれか１項記載の発明において、前記遅延手段は、水晶発振回路と、該水晶発振回路の出力側に接続された少なくとも１つのフリップフロップ回路とを備えたことを特徴とする。
【００２２】
請求項８記載の発明によれば、水晶発振回路を用いることにより、電源制御を正確に行うことができる。
【発明の効果】
【００２３】
本発明によれば、バックアップ電源がバックアップに必要な電圧より低くなると、遅延情報及びＯｎ／ＯＦＦ情報を初期化することにより、ハードウェアで設定した初期状態によりメイン電源が立ち上がるので、バックアップ電源の電圧がバックアップに必要な電圧以下になった場合でも対処することができる。
【発明を実施するための最良の形態】
【００２４】
〔発明の特徴〕
本発明の特徴は、携帯電話機などの携帯型通信機器において、電池パックを取り付ける場合や、充電により電池電圧が高くなったときに、あらかじめ指定された電源をＯｎ、もしくはシーケンシャルに電源を立ち上げる電源制御方法及び電源制御回路である。
〔実施形態〕
本実施形態の携帯機器の電源制御方法は、Ｏｎ／ＯＦＦの順序、遅延情報及び時計情報に基づいて携帯機器の各回路へのメイン電源からの電圧をＯｎ／ＯＦＦし、バックアップ電源で時計機能を保持する携帯機器の電源制御方法であって、バックアップ電源がバックアップに必要な電圧より低くなると、遅延情報及びＯｎ／ＯＦＦ情報を初期化することを特徴とする。
【００２５】
本実施形態の携帯機器の電源制御方法は、Ｏｎ／ＯＦＦの順序を、遅延情報及び時計情報に基づいて携帯機器の各回路へのメイン電源からの電圧をＯｎ／ＯＦＦし、バックアップ電源で時計機能を保持する携帯機器の電源制御方法であって、バックアップロジックにてメイン電源の立ち上げ時のシーケンスをプログラマブルに行うと共に、バックアップ電源がバックアップに必要な電圧より低くなると、遅延情報及びＯｎ／ＯＦＦ情報を初期化することを特徴とする。
【００２６】
本実施形態の携帯機器の電源制御方法は、Ｏｎ／ＯＦＦの順序を、遅延情報及び時計情報に基づいて携帯機器の各回路へのメイン電源からの電圧をＯｎ／ＯＦＦし、バックアップ電源で時計機能を保持する携帯機器の電源制御方法であって、メイン電源の立ち上げ時にＯｎ／ＯＦＦ情報をプログラマブルに設定すると共に、バックアップ電源がバックアップに必要な電圧より低くなると、遅延情報及びＯｎ／ＯＦＦ情報を初期化することを特徴とする。
【００２７】
本実施形態の携帯機器の電源制御回路は、Ｏｎ／ＯＦＦの順序情報を格納する順序情報格納手段と、遅延情報を格納する遅延情報格納手段と、時計情報を提供する時計手段と、各順序情報、遅延情報、及び時計情報に基づいて携帯機器の各回路へのメイン電源からの電圧をＯｎ／ＯＦＦし、バックアップ電源で時計機能を保持する携帯機器の電源制御回路であって、バックアップ電源の電圧を検出する検出手段と、検出手段で検出される電圧がバックアップに必要な電圧より低くなると、遅延情報及びＯｎ／ＯＦＦ情報を初期化する初期化手段とを備えたことを特徴とする。
【００２８】
本実施形態の携帯機器の電源制御回路は、Ｏｎ／ＯＦＦの順序情報を格納する順序情報格納手段と、遅延情報を格納する遅延情報格納手段と、時計情報を提供する時計手段と、各順序情報、遅延情報、及び時計情報に基づいて携帯機器の各回路へのメイン電源からの電圧をＯｎ／ＯＦＦし、バックアップ電源で時計機能を保持する携帯機器の電源制御回路であって、メイン電源の立ち上げ時のシーケンスをプログラマブルに行うバックアップロジックと、バックアップ電源の電圧を検出する検出手段と、検出手段で検出される電圧がバックアップに必要な電圧より低くなると、遅延情報及びＯｎ／ＯＦＦ情報を初期化する初期化手段とを備えたことを特徴とする。
【００２９】
本実施形態の携帯機器の電源制御回路は、Ｏｎ／ＯＦＦの順序情報を格納する順序情報格納手段と、遅延情報を格納する遅延情報格納手段と、時計情報を提供する時計手段と、各順序情報、遅延情報、及び時計情報に基づいて携帯機器の各回路へのメイン電源からの電圧をＯｎ／ＯＦＦし、バックアップ電源で時計機能を保持する携帯機器の電源制御回路であって、メイン電源の立ち上げ時にＯｎ／ＯＦＦ情報をプログラマブルに設定する設定手段と、バックアップ電源の電圧を検出する検出手段と、検出手段で検出される電圧がバックアップに必要な電圧より低くなると、遅延情報及びＯｎ／ＯＦＦ情報を初期化する初期化手段とを備えたことを特徴とする。
【００３０】
本実施形態の携帯機器の電源制御回路は、上記構成に加え、遅延手段は、少なくとも１つのバッファ回路と、バッファ回路の出力側に接続された微分回路とを備えてもよい。
【００３１】
本実施形態の携帯機器の電源制御回路は、上記構成に加え、遅延手段は、水晶発振回路と、水晶発振回路の出力側に接続された少なくとも１つのフリップフロップ回路とを備えてもよい。
【実施例１】
【００３２】
〔構  成〕
本発明に係る携帯機器の電源制御方法を適用した携帯機器の電源制御回路の一実施例について図面を参照して説明する。
図１は、本発明に係る第１の実施例である携帯機器のブロック図である。
同図に示す携帯機器は、メイン電源としてのメイン電池１と、携帯機器を構成する各デバイスに電圧を供給する電源回路２と、モデムや無線機などの通信系のデバイス３と、LCD（液晶表示素子）などの表示デバイスの表示部４と、音源や、カメラなどのアプリケーションデバイス５と、キーパッドなどのデータ入力部６と、電源系などのシステムを制御するCPUやメモリなどの制御系デバイス７と、各デバイスのIOやその他のデバイス８と、バックアップ電池１３の給電の際に電流の逆流を防ぐためのダイオード９と、メイン電池１が電池格納部から外れても、バックアップ電池１３で駆動する時計機能１０と、時計機能１０及び電源回路２にクロックを供給するための発振回路１１と、バックアップ電池１３の充電の際の充電電流を制限するための制限抵抗１２と、メイン電池１が無いとき（交換等で外されているとき）に時計機能１０及び発振回路１１を駆動させるためのバックアップ電池１３と、ボルテージディテクタなどの電池電圧を検出するための検出手段１４と、バックアップ電池の電圧を検出するための他の検出手段１５とで構成されている。
【００３３】
これらの構成に関しては、電源回路２および時計機能１０、発振回路１１、ダイオード９、電池電圧検出手段１４、バックアップ電池電圧手段１５に関しては、半導体素子で構成してもよい。
【００３４】
本発明に係る一実施例における電源回路２の構成を述べる。
図中の太線は電源ラインを示し、細線は信号ラインを示している。電源２１〜電源２６に関して、電源ラインは入力を電池電圧として、そのある一定の電圧にして各デバイスに供給している。
【００３５】
電源の種別としてレギュレータ（三端子レギュレータ）、ＤＣ／ＤＣコンバータなどを用いた安定化電源回路が考えられるが特に指定はしない。また、各電源における起動・停止信号は、ＡＮＤ回路２０１〜２０６の出力になっている。ＡＮＤ回路２０１〜２０３の入力には、電池電圧検出手段１４の検出解除信号が接続され、もう一方の入力には、初期設定回路２８からのＯｎ／ＯＦＦ制御信号と電源制御ロジック２７からのＯｎ／ＯＦＦ制御信号のセレクタ２０８〜２１０によって選択された信号が入力される。
【００３６】
また、ＡＮＤ回路２０４〜２０６の入力に関しては、電池電圧検出手段１４のＯｎ／ＯＦＦ制御信号と、初期設定回路２８からのＯｎ／ＯＦＦ制御信号が入力されている。電源２４〜２６に関しては特に電源制御ロジック２７で特に制御しない電源として指定している。これはデバイスによって電源制御しているのではなく、電源ロジック２７によって制御される電源とそうでない電源を分けるために、便宜上そのようにしている。携帯機器において接続されるデバイスによって必ずしもそのように接続する必要はない。
【００３７】
セレクタ２０８〜２１０については、図５に示すように、電池電圧検出時、すなわち電源投入時は初期設定回路２７からの信号を選択するように設定されている。セレクタ自身の切り替えは、制御デバイス７からの信号を受けて、電源制御ロジック２７を介して行われる。
【００３８】
電源制御ロジック２７は、制御系デバイス７から信号を受けて指定された電源２０１〜２０３のＯｎ／ＯＦＦ制御と、セレクタ２０８〜２１０の切り替え制御を行っている。また、初期設定回路２８に関しては図３を用いて説明する。また、各々の電源を制御する信号を生成しているＡＮＤ回路２０１〜２０６、セレクタ２０８〜２１０、初期設定回路２８に関しては、電源が立ち上がる前から各々の電源に対して信号を入力しなければならないので、これらは、バックアップ電池１３で駆動されている。
【００３９】
図３では、初期設定回路２８の構成を示している。初期設定回路２８は、セレクタ２０８〜２１０に出力、もしくはＡＮＤ回路２０４〜２０６にするためのＡＮＤ回路２８１と、電源の立ち上がりタイミングを遅らせるための遅延回路２８２と、その遅延回路２８２に対してどれだけの遅延量を設定するかの情報を持っている遅延情報回路２８３と、その電源自体をＯｎさせるか否かの情報を持っているＯｎ／ＯＦＦ情報回路２８４と、そのＯｎ／ＯＦＦ情報からの信号で、電池電圧検出手段１４からの信号とＡＮＤ回路２８５から構成される。Ｏｎ／ＯＦＦ情報回路２８４と遅延情報回路２８３は、制御系デバイス７から設定され、バックアップ電池１３で駆動させるためにメインの電池が外れたとしても、その情報はバックアップ電圧が低下しない限り保持される。ただ、バックアップ電池１３の電圧が低下した場合はバックアップ電池電圧手段１５により、Ｏｎ／ＯＦＦ情報及び遅延情報は初期化される。
【００４０】
遅延回路２８２に関して図４（ａ）に示す。
遅延回路の一つの手法として、アナログ的にコンデンサと抵抗により、時定数によって遅延を発生させる。アナログによる遅延回路は信号入力に対して、バッファ２８２０２〜２８２０４と、抵抗２８２０５〜２８２０７と、コンデンサ２８２０８〜２８２１０から構成される。
【００４１】
それぞれの遅延出力からマルチプレクサ２８２０１でどの遅延を選択するかは遅延情報回路２８３によって設定される。また遅延回路は、発振回路からの信号を得て、同期回路によって実現することも可能である。図４（ｂ）の発振回路１１は、水晶振動子１１４とバッファ１１３で駆動させ、そのクロック信号をフリップフロップ２８２１１〜２８２１３のクロック入力としている。そのため、そのクロック分だけの遅延を発生させることができる。アナログによる遅延回路と同様、それぞれの遅延信号をマルチプレクサ２８２０１で遅延情報回路２８３より選択している。
【００４２】
図３では、１つの電源に対してのイネーブル信号を記載しているが、遅延回路２８２は遅延出力信号が異なるだけであり、冗長性のある回路になってしまうため、電源全体で共通化してもよい。
【００４３】
ここで、本発明に係る実施の形態と従来の携帯機器の形態との違いを図２に示す。
従来の携帯機器における電源制御では、電池電圧検出手段１４がある一定の電圧を検出もしくは解除すると、それによってすべての電源が立ち上がる、もしくは電源制御ロジックのデフォルトによってＯｎ／ＯＦＦするようになっている。この制御の場合、立ちあがる電源はハードウェアによって決まってしまうため、電源の立ち上がりの順序の必要なデバイスが接続される場合は、ハード的に変更が必要になってしまう。
【００４４】
〔動  作〕
本発明に係る携帯機器の電源制御方法の第１の実施例における動作の説明を図６の電源制御設定シーケンスを基に述べる。
電池電圧が解除状態において、制御部７に電源が投入されているときにおいて、制御部７から電源回路２の初期設定回路に対し、指定された電源のＯｎ／ＯＦＦ設定、及び遅延量の設定を行う（ステップＡ１）。
【００４５】
電池電圧が低下、もしくは電池パックが外れ、ある一定の電圧より低くなると（ステップＡ２／Ｙｅｓ）、電池電圧検出手段１４からの信号により、電源制御ロジック２７と初期設定回路２８のセレクタ２０８〜２１０は、初期設定回路を選択する（ステップＡ３）。
【００４６】
電池電圧が検出状態においては、バックアップ電池電圧検出手段１５によって常にバックアップ電池１３の電圧をモニタしている（ステップＡ５）。これは、設定したＯｎ／ＯＦＦ情報及び、遅延情報がバックアップ電圧でどこまで保持できるかを示している。
【００４７】
バックアップ電池電圧が低下した場合（ステップＡ５／Ｙｅｓ）、初期設定回路２８のＯｎ／ＯＦＦ情報と遅延情報は初期化され（ステップＡ６）、その初期設定回路２８のハードウェアで設定した初期状態によって電源が立ち上がることになる。
【００４８】
バックアップ電圧が検出されずに、充電や、電池パックの取り付けによって電池電圧が上昇し、ある一定の電池電圧を超えて解除されると（ステップＡ６／Ｙｅｓ）、そのときの初期設定回路の状態で電源がシーケンシャルに立ち上がる（ステップＡ７）。
【００４９】
この電池電圧が上昇したときの電源の立ち上がりシーケンスを図７に示す。
電池電圧が上昇したとき、初期設定回路２８に設定された情報をもとに指定された電源がＯｎし、またある電源に関してはある一定の遅延量をもって立ち上がっていることを示している。
【００５０】
図８においては、電池電圧が上昇し電池電圧検出手段により、解除が行われ、電源が立ち上がった状態において、電源制御ロジック２７と初期設定回路２８に切り替えを行っている。電池電圧が解除されているときは、制御部７からの信号により、電源制御ロジック２７と初期設定回路２８を切り替えて使用するが、電池電圧が低下し、電池電圧検出手段により、検出信号が出力されると、セレクタ２０８〜２１０は、初期設定回路に設定され、電源はＯＦＦする。
【００５１】
以上において、電池電圧が解除されている場合は、制御部７からプログラマブルに電源制御することができ、電池電圧が低電圧で検出されているときは、あらかじめ制御部７により設定された電源のＯｎ／ＯＦＦ、立ち上がりシーケンスによって制御される。
【実施例２】
【００５２】
第１の実施例では、電池電圧が解除されたときに、注目してプログラマブルに電源制御することを主眼としていたが、逆に電池電圧が下がってきたときに、プログラマブルに電源をＯＦＦしていくことに着眼する。一時的なある一定時間において大電流が流れ、電池の内部インピーダンスと、配線のインピーダンスで一時的に電池電圧の検出電圧を下回ってしまう場合に、この機能は有用と考える。
【００５３】
図９に本発明に係る第２の実施例における初期設定回路を示す。
本発明に係第１の実施例における初期設定回路２８と比較して、ＯＲ回路２８６と、遅延回路２８７と、遅延情報２８８とが追加されていることが分かる。これらの追加された回路はすべてバックアップ電池によって駆動する。
遅延回路２８７とＯＲ回路２８６により、電池電圧検出手段１５において電池電圧が低下し、検出されるタイミングを遅延させる回路になっており、遅延回路２８７の構成としては、図４（ａ）、（ｂ）と同様な回路で構成される。遅延量に関しては、制御系デバイス７によってプログラマブルに遅延情報回路２８８に設定される。
【００５４】
図１０に本発明の第２の実施例における電源制御切り替えシーケンス例を示す。電池電圧が低下した場合に電池電圧検出信号が‘Ｈ’→‘Ｌ’になるが、遅延回路２８８により、電源側のＯＦＦになるタイミングがその分遅れることを示している。
【００５５】
〔効果の説明〕
(1)プログラマブルに電源制御を設定しておくことで、接続されるデバイスの電源投入順序の制約を満たすことができる。
【００５６】
(2)電源投入順序をプログラマブルに制御することによって接続する機能デバイスの選択の自由度をあげることができる。
【００５７】
(3)電源を同時に複数オンすることで突入電流による電圧降下をプログラマブルに電源の立ち上げ順序を指定することによって突入電流のピークを分散させ、電圧降下を軽減させることができる。
【００５８】
(4)初期設定において余分な電源を立ち上げないことで消費電流削減にもつながる。
【００５９】
(5)本発明の第２の実施例では、一時的に大電流を流し、電池及び配線のインピーダンスで検出電圧を下回る電圧になったとしても、遅延回路によって電源ＯＦＦすることを回避することができる。
【産業上の利用可能性】
【００６０】
本発明は、携帯電話機、ＰＤＡ、携帯端末等に利用できる。
【図面の簡単な説明】
【００６１】
【図１】本発明に係る第１の実施例である携帯機器のブロック図である。
【図２】本発明に係る実施の形態と従来の携帯機器の形態との違いを示す図である。
【図３】初期設定回路のブロック図である。
【図４】（ａ）はアナログによる遅延回路のブロック図であり、（ｂ）は水晶発振回路を用いた遅延回路のブロック図である。
【図５】電源制御切替回路のブロック図である。
【図６】電源制御設定シーケンスを示す図である。
【図７】電池電圧が上昇したときの電源の立ち上がりシーケンスを示す図である。
【図８】電源制御切替シーケンスを示す図である。
【図９】本発明に係る第２の実施例における初期設定回路のブロック図である。
【図１０】本発明に係る第２の実施例における電源制御切替シーケンスを示す図である。
【符号の説明】
【００６２】
１    メイン電池
２    電源回路
３    デバイス
４    表示部
５    アプリケーションデバイス
６    データ入力部
７    制御系デバイス
８    その他のデバイス
９    ダイオード
１０    時計機能
１１    発振回路
１２    制限抵抗
１３    バックアップ電池
１４    検出手段
１５    他の検出手段
【図１】
2006246689.tif 000003
【図２】
2006246689.tif 000004
【図３】
2006246689.tif 000005
【図４】
2006246689.tif 000006
【図５】
2006246689.tif 000007
【図６】
2006246689.tif 000008
【図７】
2006246689.tif 000009
【図８】
2006246689.tif 000010
【図９】
2006246689.tif 000011
【図１０】
2006246689.tif 000012